(57)【要約】【課題】ヘッド支持機構、ヘッド組立体の振動を小さくする。【解決手段】ヘッド支持機構のダンパ幅の変化率が一様でなく、途中から該ダンパ幅の変化率を大きくし、ダンパがロードビーム２ａのマウント側端まで、かつ、ロードビーム２ａのマウント側端幅ほぼ一杯まで延伸する構造とする。高記録密度の磁気ディスク装置に適した、低振動のヘッド支持機構、ヘッド組立体が提供できる。【選択図】  図１
2004178628.tif 000002
【特許請求の範囲】
【請求項１】
回転する記録媒体に対向する記録又は再生ヘッドを支持する、ヘッド支持機構であって、ヘッドスライダを把持するフレクシャ、該フレクシャを把持し前記ヘッドスライダに荷重を与えるロードビーム、該ロードビームを把持しキャリッジアームに固定されるマウント、前記ロードビームに貼り付けられ周辺部材の振動を抑制するダンパを有するものにおいて、
前記ダンパの形状が、キャリッジ取り付け側の幅がスライダ把持側の幅より広く、該スライダ把持側から該キャリッジ取り付け側に向けて、２以上の変化率で拡がって成ることを特徴とするヘッド支持機構。
【請求項２】
請求項１記載のヘッド支持機構において、
前記フレクシャを把持し前記ヘッドスライダに荷重を与えるロードビーム、該ロードビームを把持しキャリッジアームに固定されるマウントの代わりに、
前記フレクシャを把持するロードビーム、該ロードビームを把持し前記ヘッドスライダに荷重を与えるヒンジ、該ヒンジを把持しキャリッジアームに固定されるマウントを有するヘッド支持機構。
【請求項３】
請求項１又は請求項２のヘッド支持機構において、
前記ダンパの形状が、前記ロードビームのマウントの端まで、かつ、前記ロードビームのマウント端の幅ほぼ一杯まで延伸しているヘッド支持機構。
【請求項４】
請求項１、請求項２又は請求項３記載のヘッド支持機構のうち一のヘッド支持機構を用いたヘッド組立体。
【発明の詳細な説明】
【０００１】
【発明の属する技術分野】
本発明は、回転する記録媒体に対向する記録又は再生ヘッドを支持する、ヘッド支持機構及びヘッド組立体に係り、特に、不要振動を低減する減衰部材の形状に関する。
【０００２】
【従来の技術】
ヘッド支持機構には、振動を減衰させる部材（ダンパ）が設けられている。特開２００１−３４４９１９号の図２に示されたダンパ７は、その形状が、キャリッジ取り付け側（同図、中央）の幅が、スライダ把持側（同図右）の幅より広い。そして、スライダ把持側からキャリッジ取り付け側に向かって、一定の変化率で拡がる形状である。
【０００３】
また、特開平９−２５１７４０号の図１に示すように、やはり減衰部６は台形の形状である。同号の図５に示すように、３つの部材からなる減衰部６の中央部分は台形である。
【０００４】
【特許文献１】
特開２００１−３４４９１９号公報
【特許文献２】
特開平９−２５１７４０号公報
【０００５】
【発明が解決しようとする課題】
振動を抑制するためにヘッド支持機構に設けられたダンパの形状について、十分な配慮が為されておらず、振動抑制の効果が小さく、その結果、不要な振動が大きかった。
【０００６】
【課題を解決するための手段】
振動を抑制するダンパを有するヘッド支持機構において、ダンパのスライダ把持側からキャリッジ取り付け側に向け拡がる該ダンパ幅の変化率が一様でなく、途中から該ダンパ幅の変化率を大きくし、ロードビームのマウント側端まで、かつ、ロードビームのマウント側端幅ほぼ一杯まで延伸する構造とする。
【０００７】
この形状を採るダンパは、ロードビームのばね部近傍までダンパを延伸させると同時に面積を大きくすることが可能になり、ダンパの効果、すなわちロードビームに対する剛性の付加量とロードビームへの付加減衰が大きくなり、振動を小さくすることができる。
【０００８】
【発明の実施の形態】
本発明を磁気ディスク装置用ヘッド支持機構に適用した一例を、図面を用いて説明する。
図１に示すヘッド支持機構は、ヘッドスライダを把持するフレクシャ１ａ、フレクシャ１ａを把持するロードビーム２ａ、ロードビーム２ａを把持しヘッドスライダに荷重を与えるヒンジ３、ヒンジ３を把持するマウント４ａ、ロードビーム２ａに貼り付けられヘッド支持機構の振動を抑制するダンパ５ａ、フレクシャ１ａからの信号の記録・再生用ＩＣを具備した部材への接続を担う中継ＦＰＣ６ａを有している。アクチュエータのキャリッジアーム（図示せず）は、フレクシャ１ａに把持されたヘッドスライダを移動させることで、ヘッドが磁気ディスク媒体上に位置付けされる。
【０００９】
マウント４ａは、ヒンジ３を把持すると共に、自己に設けられた穴部を介して、かしめ結合等によりキャリッジアームに固定されている。マウント４ａはステンレス材でプレス成形され、ヒンジ３、ロードビーム２ａはステンレス材でエッチング形成され、ロードビーム２ａはエッチングの後プレス成形されて成る。フレクシャ１ａはステンレスの基材の上にポリイミド、銅回路材、ポリイミドが積層された構造で、フォトリソグラフィ、鍍金、エッチングによって積層構造を形成した後、プレス成形される。
【００１０】
ロードビーム２ａ、マウント４ａ、ヒンジ３、フレクシャ１ａは溶接により一体化された後、ヒンジ３を荷重曲げ成形して形成し、ダンパ５ａ無しのヘッド支持機構が作成される。
ダンパ５ａは、粘弾性材とステンレスの拘束板を積層した後、プレスにより打ち抜くことで形成する。ダンパ５ａは前述のダンパレスヘッド支持機構のロードビーム２ａにダンパ５ａの粘弾性体により貼り付けられ、ヘッド支持機構が形成される。
【００１１】
ダンパ５ａの外形形状は、マウント側幅７ａがスライダ把持側幅８ａより広く、スライダ把持側からマウント側に向け拡がるダンパ幅の変化率が一様でなく、途中からダンパ幅の変化率が大きくなっており、ダンパ５ａはロードビーム２ａのマウント４ａ側端まで、かつ、ロードビーム２ａのマウント４ａ側端幅ほぼ一杯まで延伸している。
【００１２】
図２に示す従来のヘッド支持機構は、図１に示したヘッド支持機構と同じ構成を取り、ダンパ５ｂの外形形状のみが異なる。ダンパ５ｂのマウント側幅７ｂがスライダ把持側幅８ｂより広く、スライダ把持側からマウント側に向け拡がるダンパ幅の変化率が一様であり、ロードビーム２ｂのマウント側端幅ほぼ一杯までを覆っていない。
【００１３】
図３は、本発明に係るヘッド組立体の振動特性（周波数特性図）、図４は、図２の従来のヘッド組立体の振動特性である。なお、ヘッド組立体とは、ヘッド支持機構にスライダを固定したものをいう。
それぞれのヘッド支持機構が、毎分１万回転で回転する直径８４ｍｍの円板間に配置されたときの、スライダのヘッド支持機構の短手方向振動を示している。雰囲気温度は６０℃である。
図３は図４と比較し、３ｋＨｚから５ｋＨｚのベースライン９、６ｋＨｚのピーク１０、８ｋＨｚのピーク１１、１１ｋＨｚのピーク１２が小さくなっている。
【００１４】
本実施例においては、荷重曲げ成形されるヒンジ３とロードビーム２が別部材のヘッド支持機構について説明したが、ヒンジ３とロードビーム２が一体のヘッド支持機構においても同様の効果がある。また、本実施例は、磁気ディスク装置用のヘッド支持機構について説明したが、回転円板上を浮上するヘッドを有す記憶装置のヘッド支持機構においても前述の実施例と同一の形態をとることにより、同一の効果が得られる。
【００１５】
【発明の効果】
高記録密度の磁気ディスク装置に適した、低振動のヘッド支持機構及びヘッド組立体とする効果がある。
【図面の簡単な説明】
【図１】本発明の一実施例を示すヘッド支持機構の平面図である。
【図２】従来のダンパを用いたヘッド支持機構を示す平面図である。
【図３】図１のヘッド支持機構を用いたヘッド組立体の振動特性図である。
【図４】図２のヘッド支持機構を用いたヘッド組立体の振動特性図である。
【符号の説明】
１…フレクシャ、            ２…ロードビーム、
３…ヒンジ、                ４…マウント、
５…ダンパ、                ６…中継ＦＰＣ、
７…マウント側幅、          ８…スライダ把持側幅、
９…３ｋＨｚから５ｋＨｚのベースライン、
１０…６ｋＨｚのピーク、      １１…８ｋＨｚのピーク、
１２…１１ｋＨｚのピーク。
【図１】
2004178628.tif 000003
【図２】
2004178628.tif 000004
【図３】
2004178628.tif 000005
【図４】
2004178628.tif 000006